(57)【要約】【課題】  梱包体に取り付けられた非接触ＩＣタグを簡単に取り外せない状態にすることができ、梱包状態にある物品が、運送の途中で不正に開封された場合でも、運送後に開封されたことを確認できるようにした開封確認用の非接触ＩＣタグを提供する。【解決手段】  ベースフィルム上に、アンテナ部と、前記アンテナ部に電気的に接続されたＩＣチップとが設けられ、前記ベースフィルムが複数のシート状基材の間に挟み込まれ、接着一体化された構造を有する開封確認用の非接触ＩＣタグであって、前記ベースフィルム及び前記複数のシート状基材には、前記アンテナ部が形成されている部分を切断可能な位置に、切り取り用ミシンが形成され、前記複数のシート状基材の両端付近に、前記開封確認用の非接触ＩＣタグを梱包体に固定する際にビス留め又は紐留めするための穴が形成されている。【選択図】        図１
2009104262.tif 000002
【特許請求の範囲】
【請求項１】
ベースフィルム上に、アンテナ部と、前記アンテナ部に電気的に接続されたＩＣチップとが設けられ、前記ベースフィルムが複数のシート状基材の間に挟み込まれ、接着一体化された構造を有する開封確認用の非接触ＩＣタグであって、
前記ベースフィルム及び前記複数のシート状基材には、前記アンテナ部が形成されている部分を切断可能な位置に、切り取り用ミシンが形成され、
前記複数のシート状基材の両端付近に、前記開封確認用の非接触ＩＣタグを梱包体に固定する際にビス留め又は紐留めするための穴が形成されていることを特徴とする開封確認用の非接触ＩＣタグ。
【請求項２】
前記アンテナ部が、該アンテナ部が切断された場合に、通信不能となる構造を有することを特徴とする請求項１記載の開封確認用の非接触ＩＣタグ。
【請求項３】
前記アンテナ部が、該アンテナ部が切断された場合に、通信距離が半分以下となる構造を有することを特徴とする請求項１記載の開封確認用の非接触ＩＣタグ。
【請求項４】
前記複数のシート状基材が、紙又はプラスチックフィルムからなることを特徴とする請求項１記載の開封確認用の非接触ＩＣタグ。
【請求項５】
前記穴が、２箇所に形成され、前記２箇所に形成された穴が、前記複数のシート状基材の中心線から同一方向に外れた位置に設けられていることを特徴とする請求項１記載の開封確認用の非接触ＩＣタグ。
【発明の詳細な説明】
【技術分野】
【０００１】
本発明は、梱包状態にある物品が、運送の途中で不正に開封された場合でも、運送後に開封されたことを確認できるように梱包体に取り付ける開封確認用の非接触ＩＣタグに関する。
【背景技術】
【０００２】
通常、運送する物品は、種々の方法により梱包して梱包体にすることで、運送途中に、その物品が盗難されたり、いたずらが行われないように保護している。
従来、非接触ＩＣタグをラベル化して、梱包体の開封部に貼り付けることで、開封されたことを非接触ＩＣタグからの通信状態により判断することができる技術が知られている。（例えば、特許文献１参照）
【０００３】
【特許文献１】特開２００２−３６２６１３号公報
【０００４】
しかしながら、従来の非接触ＩＣタグラベルでは、簡単に他のラベルに貼り換えられたり、一旦全体を剥離させてから、再度貼りなおしができるために、不正行為が行われた場合でもわからないという問題がある。
【発明の開示】
【発明が解決しようとする課題】
【０００５】
そこで、本発明は、梱包体に取り付けられた非接触ＩＣタグを簡単に取り外せない状態にすることができ、梱包状態にある物品が、運送の途中で不正に開封された場合でも、運送後に開封されたことを確認できるようにした開封確認用の非接触ＩＣタグを提供する。
【課題を解決するための手段】
【０００６】
本発明の開封確認用の非接触ＩＣタグは、ベースフィルム上に、アンテナ部と、前記アンテナ部に電気的に接続されたＩＣチップとが設けられ、前記ベースフィルムが複数のシート状基材の間に挟み込まれ、接着一体化された構造を有する開封確認用の非接触ＩＣタグであって、前記ベースフィルム及び前記複数のシート状基材には、前記アンテナ部が形成されている部分を切断可能な位置に、切り取り用ミシンが形成され、前記複数のシート状基材の両端付近に、前記開封確認用の非接触ＩＣタグを梱包体に固定する際にビス留め又は紐留めするための穴が形成されていることを特徴とする。
【０００７】
また、本発明の開封確認用の非接触ＩＣタグは、前記アンテナ部が、該アンテナ部が切断された場合に、通信不能となる構造を有することを特徴とする。
したがって、梱包体を開封した場合に、開封確認用の非接触ＩＣタグのアンテナ部が切断された場合に、通信不能となることで、不正な開封が行われたことを確認することができる。
【０００８】
更に、本発明の開封確認用の非接触ＩＣタグは、前記アンテナ部が、該アンテナ部が切断された場合に、通信距離が半分以下となる構造を有することを特徴とする。
したがって、梱包体を開封した場合に、開封確認用の非接触ＩＣタグのアンテナ部が切断された場合に、通信距離が半分以下となることで、不正な開封が行われたことを確認することができる。
【０００９】
また、本発明の開封確認用の非接触ＩＣタグは、前記複数のシート状基材が、紙又はプラスチックフィルムからなることを特徴とする。
したがって、梱包体を開封した場合に、開封確認用の非接触ＩＣタグの紙又はプラスチックフィルムからなる複数のシート状基材が、切り取り用ミシンから容易に切り取られるので、アンテナ部からの通信状態から不正な開封が行われたことを確認することができる。
【００１０】
更に、本発明の開封確認用の非接触ＩＣタグは、前記穴が、２箇所に形成され、前記２箇所に形成された穴が、前記複数のシート状基材の中心線から同一方向に外れた位置に設けられていることを特徴とする。
したがって、梱包体を開封した場合に、複数のシート状基材の中心線から同一方向に外れた位置に設けられている穴の部分が引っ張られるので、複数のシート状基材に形成された切り取り用ミシンの一端部にせん断力が集中されるので、切断されやすいという効果がある。
【発明の効果】
【００１１】
本発明の開封確認用の非接触ＩＣタグは、開封確認用の非接触ＩＣタグを梱包体に固定する際にビス留め又は紐留めするための穴が形成されているので、梱包体に取り付けられた非接触ＩＣタグを簡単に取り外せない状態にすることができ、梱包状態にある物品が、運送の途中で不正に開封された場合でも、運送後に開封されたことを確認できるという効果がある。
【発明を実施するための最良の形態】
【００１２】
以下、本発明の実施形態に係る開封確認用の非接触ＩＣタグを、図面に基づいて詳細に説明する。
図１は、本発明の実施形態に係る開封確認用の非接触ＩＣタグの平面図、図２は、本発明の実施形態に係る開封確認用の非接触ＩＣタグに内蔵されているインレットの平面図、図３は、図１のＡ−Ａ線断面図、図４は、本発明の実施形態に係る開封確認用の非接触ＩＣタグを梱包体にビス留めした状態を示す断面図、図５は、本発明の実施形態に係る開封確認用の非接触ＩＣタグを梱包体に紐留めした状態を示す断面図、図６は、本発明の実施形態に係る開封確認用の非接触ＩＣタグが切断する状態を説明する図、図７は、本発明の他の実施形態に係る開封確認用の非接触ＩＣタグが切断する状態を説明する図、図８は、本発明の実施形態に係る開封確認用の非接触ＩＣタグに内蔵されている他のインレットの平面図、図９は、図８に示すインレットが切断された状態を示す平面図である。
【００１３】
本発明の実施形態に係る開封確認用の非接触ＩＣタグ１は、図１乃至図３に示すように、横方向に対して長い矩形形状を有し、横方向の中央部分に縦方向に切り取り用ミシン２が形成され、更に、横方向の左右両端付近に、開封確認用の非接触ＩＣタグ１を梱包体に固定する際にビス留め又は紐留めするための穴３がそれぞれ形成されている。
このビス留め又は紐留めするための各々の穴３は、縦方向に対して中央部付近に形成されている。
【００１４】
開封確認用の非接触ＩＣタグ１は、複数のシート状基材４ａ，４ｂの間にインレット５が挟み込まれており、接着剤６により接着一体化された構造を有している。
これらの複数のシート状基材４ａ，４ｂは、紙又はプラスチックフィルムからなる。
また、複数のシート状基材４ａ，４ｂの間に挟まれているインレット５は、図２に示すように、ベースフィルム５１上に形成されたアンテナ部５２と、そのアンテナ部５２に電気的に接続されたＩＣチップ５３とにより構成されている。
【００１５】
アンテナ部５２は、２つのアンテナ素子５２ａ，５２ｂからなり、それぞれのアンテナ素子５２ａ，５２ｂは、ＩＣチップ５３のアンテナ入力端子に接続されている。
２つのアンテナ素子５２ａ，５２ｂは、共に半波長ダイポール型アンテナであるが、左側のアンテナ素子５２ａは、右側よりもやや大きい形状となっている。
左右のアンテナ素子５２ａ，５２ｂは、その大きさや指向特性が異なるように設計でき、その場合には、いずれかの信号入力の大きなアンテナを自動選択して動作させられるという特徴がある。
なお、アンテナ部５２は、ベースフィルム５１面に形成され、アンテナ素子５２ａ，５２ｂとＩＣチップ５３面は、プラスチックフィルムからなる表面保護シートで全体を被服することが好ましい。
【００１６】
また、ＩＣチップ５３は、ダイバシティー機能を有するものであり、２以上のアンテナ入力端子を有している。
ダイバシティー機能は、入力端子に接続された２つの平面アンテナ素子５２ａ，５２ｂの受信波を増幅して、その強弱を判定し、スイッチングを行う。
ＩＣチップ５３の２つの増幅回路は、判定を正確に行うため、増幅特性、周波数特性等の電気的特性の同一性が要求される。
【００１７】
ベースフィルム５１には、前記アンテナ部５２が形成されている部分を切断可能な位置に、切り取り用ミシン５４が形成されている。
ベースフィルム５１に形成されている切り取り用ミシン５４と、複数のシート状基材４ａ，４ｂに形成されている切り取り用ミシン２とは、重なる状態で形成されている。
これらの切り取り用ミシン５４と切り取り用ミシン２とを重ね合わせる状態とするために、複数のシート状基材４ａ，４ｂの間にインレット５を挟み込み、接着剤６により接着一体化された後に、ミシン刃で切り込んで形成することが好ましい。
【００１８】
また、ベースフィルム５１に形成されている切り取り用ミシン５４の位置は、図２に示すように、左側のアンテナ素子５２ａの一部が切断される位置となるように形成されている。
つまり、開封確認用の非接触ＩＣタグ１に形成された切り取り用ミシン２，５４から切り取られた場合に、左側のアンテナ素子５２ａは使用不能となり、右側のアンテナ素子５２ｂだけを使用して、リーダライタとの通信を行える状態となる。
但し、この場合には、通信距離が半分以下となり、リーダライタによる通信において、この通信距離の変動により切り取り用ミシン２，５４から切り取られことを確認できるようになっている。
【００１９】
開封確認用の非接触ＩＣタグ１を梱包体にビス留めする場合には、図４に示すように、梱包体９の開閉部９ａの境を跨ぐ状態で開封確認用の非接触ＩＣタグ１を置いて、ビス７をそれぞれの穴３に通して、梱包体６にビス留めさせる。
図４には、梱包体９の一部に設けられた扉部分だけが示されている。
開封確認用の非接触ＩＣタグ１を梱包体９の開閉部９ａの境にビス留めして固定させることで、梱包体６が運送される途中において、その開閉部９ａが不正に開けられた際に、切り取り用ミシン５４と切り取り用ミシン２とから切り離され、左側のアンテナ素子５２ａの一部が切断される。
これにより、開封確認用の非接触ＩＣタグ１の通信距離が短くなることで、リーダライタによる通信において、切り取り用ミシン２，５４から切り取られたことを確認できるようになっている。
【００２０】
また、開封確認用の非接触ＩＣタグ１を梱包体に紐留めする場合には、図５に示すように、梱包体６の開閉部６ａの境を跨ぐ状態で開封確認用の非接触ＩＣタグ１を置いて、紐８の両端部分を開封確認用の非接触ＩＣタグ１の穴３に通して、梱包体９に紐８で巻き付けて開封ができない状態にする。
開封確認用の非接触ＩＣタグ１を梱包体９の開閉部９ａの境に紐で巻き付ける固定させることで、梱包体９が運送される途中において、その開閉部９ａが不正に開けられた際に、切り取り用ミシン５４と切り取り用ミシン２とから切り離され、左側のアンテナ素子５２ａの一部が切断される。
これにより、開封確認用の非接触ＩＣタグ１の通信距離が短くなることで、リーダライタによる通信において、切り取り用ミシン２，５４から切り取られたことを確認できるようになっている。
図５には、梱包体９の全体が示され、内部にある物品１０も示されている。
【００２１】
図６に示すように、開封確認用の非接触ＩＣタグ１は、左右方向に引っ張られることで、切り取り用ミシン５４と切り取り用ミシン２とから切り離される。
また、開封確認用の非接触ＩＣタグ１を梱包体に固定する際にビス留め又は紐留めするための穴を形成する位置は、図７に示すように、非接触ＩＣタグ１の両端部分であって、複数のシート状基材の中心線から同一方向に外れた位置の２箇所に形成させてもよい。
この場合には、梱包体を開封した場合に、複数のシート状基材の中心線から同一方向に外れた位置に設けられている穴の部分が引っ張られるので、複数のシート状基材に形成された切り取り用ミシンの一端部にせん断力が集中されるので、切断されやすい。
【００２２】
また、複数のシート状基材４ａ，４ｂの間に設けるインレットとして、図８に示すような、インレット５ａを用いてもよい。
このインレット５ａは、ベースフィルム５１上に形成されたアンテナ部として１つのアンテナ素子５２ｃと、そのアンテナ素子５２ｃに電気的に接続されたＩＣチップ５３とにより構成されている。
そして、ベースフィルム５１には、アンテナ素子５２ｃが切断される位置に切り取り用ミシン２ａが形成されている。
ベースフィルム５１に形成された切り取り用ミシン２ａと、複数のシート状基材４ａ，４ｂに形成された切り取り用ミシン５４とが重合された状態で接着一体化されて開封確認用の非接触ＩＣタグ１が構成される。
【００２３】
この場合には、開封確認用の非接触ＩＣタグの切り取り用ミシン２ａ，５４から切断された場合に、アンテナ部が切断され、通信不能となる。
したがって、リーダライタによる通信において、通信不能であることから、梱包体が開封されたことを確認することができるようになっている。
【００２４】
以上のように、本発明の開封確認用の非接触ＩＣタグは、開封確認用の非接触ＩＣタグを梱包体に固定する際にビス留め又は紐留めするための穴が形成されているので、梱包体に取り付けられた非接触ＩＣタグを簡単に取り外せない状態にすることができ、梱包状態にある物品が、運送の途中で不正に開封された場合でも、運送後に開封されたことを確認できる。
【図面の簡単な説明】
【００２５】
【図１】本発明の実施形態に係る開封確認用の非接触ＩＣタグの平面図である。
【図２】本発明の実施形態に係る開封確認用の非接触ＩＣタグに内蔵されているインレットの平面図である。
【図３】図１のＡ−Ａ線断面図である。
【図４】本発明の実施形態に係る開封確認用の非接触ＩＣタグを梱包体にビス留めした状態を示す断面図である。
【図５】本発明の実施形態に係る開封確認用の非接触ＩＣタグを梱包体に紐留めした状態を示す断面図である。
【図６】本発明の実施形態に係る開封確認用の非接触ＩＣタグが切断する状態を説明する図である。
【図７】本発明の他の実施形態に係る開封確認用の非接触ＩＣタグが切断する状態を説明する図である。
【図８】本発明の実施形態に係る開封確認用の非接触ＩＣタグに内蔵されている他のインレットの平面図である。
【図９】図８に示すインレットが切断された状態を示す平面図である。
【符号の説明】
【００２６】
１  開封確認用の非接触ＩＣタグ
２，５４  切り取り用ミシン
３  穴
４ａ，４ｂ  シート状基材
５  インレット
６  接着剤
７  ビス
８  紐
９  梱包体
１０  物品
５１  ベースフィルム
５２  アンテナ部
５２ａ，５２ｂ  アンテナ素子
５３  ＩＣチップ
【図１】
2009104262.tif 000003
【図２】
2009104262.tif 000004
【図３】
2009104262.tif 000005
【図４】
2009104262.tif 000006
【図５】
2009104262.tif 000007
【図６】
2009104262.tif 000008
【図７】
2009104262.tif 000009
【図８】
2009104262.tif 000010
【図９】
2009104262.tif 000011